(57)【要約】【課題】　断熱及び防音効果を増大させると共に、有害な電磁波を遮断させることができる暖房管の配管用断熱ボ−ドを提供する。【解決手段】　部屋の床面となるコンクリ−トスラブ層１上に縦横に配設され、室内の保温状態を維持する断熱材からなる低板２０と、低板２０の上方から嵌合され、暖房管４同士の配管間隔及び暖房管４の湾曲部を保持する暖房管保持手段３１が設けられた硬質の合成樹脂材からなる上板３０と、上板３０に設けられ、相互に隣接する上板３０同士を連結する連結手段４０と、上板３０上に接着され、表面側に電磁波シールドシート５１が被着された断熱シート５０とを備える。【選択図】　　　図１
2004143927.tif 000002
【特許請求の範囲】
【請求項１】
部屋の床面となるコンクリ−トスラブ層上に縦横に配設され、室内の保温状態を維持する断熱材からなる低板と、
　上記低板の上方から嵌合され、暖房管同士の配管間隔及び暖房管の湾曲部を保持する暖房管保持手段が設けられた硬質の合成樹脂材からなる上板と、
　上記上板に設けられ、相互に隣接する上板同士を連結する連結手段と、
　上記上板上に接着され、表面側に電磁波シールドシートが被着された断熱シートと、を備えることを特徴とする暖房管の配管用断熱ボード。
【請求項２】
上記断熱シートは、断熱性及び防音性に優れた発泡樹脂材からなり、裏面に接着剤が塗布されていることを特徴とする請求項１記載の暖房管の配管用断熱ボード。
【請求項３】
上記電磁波シールドシートは、アルミニューム材の薄板からなることを特徴とする請求項１記載の暖房管の配管用断熱ボード。
【発明の詳細な説明】
【技術分野】
【０００１】
　本発明は、断熱ボードに関するものであって、更に詳細には、断熱及び防音効果を増大させると共に、有害な電磁波を遮断させることができる暖房管の配管用断熱ボ−ドに関するものである。
【技術背景】
【０００２】
　一般的に、アパ−ト、マンション等の住居用建築物においては、室内の床暖房のために、部屋の床面となるコンクリ−トスラブ層上に、暖房機からの加熱された温水を循環させる暖房管を配設した後、モルタルを薄く敷いてモルタル層を設けている。そして、モルタル層の上に、紙壮版紙（壮版紙＝オンドルの床に貼る厚い油紙）やビニ−ル壮版紙等の内装材を貼って仕上げる。
　従来のやり方として、暖房管を配設する際に、この暖房管同士の配管間隔及び暖房管の湾曲部を保持するために、コンクリ−トスラブ層上に留め具等を打設する場合と、また、断熱及び防音のために、コンクリ−トスラブ層の上に発泡スチレン樹脂等の断熱材を敷き、その上に留め具等を打設して暖房管を配管する場合とがあった。
【０００３】
　ところが、前者のコンクリ−トスラブ層上に留め具等を打設する場合においては、別途の留め具を一つ一つ打って固定しなければならないため、その固定作業が非常に煩雑で手間がかかり、更にコンクリ−トスラブ層に、打設による割れ目が生ずるという不都合があった。また、後者の発泡スチレン樹脂等の断熱材を敷く場合においては、この断熱材上に留め具等を堅固に固定させにくいという不都合もあった。
【０００４】
　そこで、本発明者は、暖房管の配管施工をより容易且つ迅速に行うことができ、また、断熱材の配設施工と暖房管の配管施工を同時に並行することにより、工事日数を短縮させることができると共に、工事費用を大幅に低減させることができる暖房管の配管用断熱ボ−ドを考案した（特許文献１及び２参照）。
【０００５】
　これら暖房管の配管用断熱ボ−ドは、部屋の床面となるコンクリ−トスラブ層上に縦横に配設され、室内の保温状態を維持する断熱材からなる低板と、上記低板の上方から嵌合され、暖房管同士の配管間隔及び暖房管の湾曲部を保持するための暖房管保持手段が設けられた硬質の合成樹脂材からなる上板と、上記上板に設けられ、相互に隣接する上板同士を連結する連結手段とを備えている。
【０００６】
【特許文献１】大韓民国実用新案登録第２８４８０７号公報
【特許文献２】大韓民国実用新案登録第２９７６０７号公報
【発明の開示】
【発明が解決しようとする課題】
【０００７】
　しかしながら、上記の暖房管の配管用断熱ボードにおいては、暖房管からの熱の一部が断熱ボードの上板に伝達されるため、熱損失が発生するだけでなく、防音率が環境規制に達していないという問題点があった。
　また、上記の暖房管の配管用断熱ボードは、室外から発生する有害な電磁波、例えば、アパ−ト、マンション等の上下階の家で使用される家電製品等から発生する電磁波や地下の水脈から発生する水脈波等を遮断する機能がないため、この有害な電磁波によって人体に悪影響を及ぼすという問題点もあった。
【０００８】
　本発明の目的は、断熱及び防音効果を増大させると共に、有害な電磁波を遮断させることができる暖房管の配管用断熱ボ−ドを提供することにある。
【課題を解決するための手段】
【０００９】
　上記目的を達成するための本発明の暖房管の配管用断熱ボ−ドは、部屋の床面となるコンクリ−トスラブ層上に縦横に配設され、室内の保温状態を維持する断熱材からなる低板と、上記低板の上方から嵌合され、暖房管同士の配管間隔及び暖房管の湾曲部を保持する暖房管保持手段が設けられた硬質の合成樹脂材からなる上板と、上記上板に設けられ、相互に隣接する上板同士を連結する連結手段と、上記上板上に接着され、表面側に電磁波シールドシートが被着された断熱シートと、を備える構成とした。
　従って、上板上に接着された断熱シートによって、床暖房時における暖房管からの熱の一部が上板に伝達されることを防止すると共に、室内から発生する衝撃音や騒音等を吸収することによって、断熱及び防音効果を増大させることができる。
【００１０】
　また、上記断熱シートの表面に被着された電磁波シールドシートによって有害な電磁波を遮断させることによって、人体を保護することができる。
【発明を実施するための最良の形態】
【００１１】
　以下、この発明の好適な実施の形態を添付の図面を参照しながら詳細に説明する。
　本発明の暖房管の配管用断熱ボ−ド１０は、図１乃至図３に示すように、断熱材からなる正方形状の低板２０と、硬質の合成樹脂材からなる正方形状の上板３０とで構成され、これらが相互に結合されて１組をなす。
【００１２】
　低板２０は、図３及び図４に示すように、部屋の床面となるコンクリ−トスラブ層１上に、上板３０と結合された状態で縦横に配設され、室外の冷・温気が室内に流入されることを遮断し、特に冬季に暖房管４によって加熱された室内の温気が室外に流出されることを防止すると共に、室内から発生する衝撃音や騒音等を吸収する機能を有するものである。従って、この低板２０は、断熱性、防音性、成形性、及び軽量性等に優れた発泡スチレン樹脂等の断熱材によって成形するのが好ましい。
【００１３】
　上記低板２０には、図１及び図２に示すように、その上面を覆うように、後述する上板３０が嵌合されることによって、互いに結合する。
　上板３０は、図１及び図２に示すように、上記低板２０と略同じ大きさに硬質の合成樹脂によって射出成形されるものであって、その上面には、暖房管４同士の配管間隔及び暖房管４の湾曲部を保持するための暖房管保持手段３１が設けられている。
【００１４】
　この実施の形態の暖房管保持手段３１としては、上板３０の上面に、２個の縦溝３２ａと２個の横溝３２ｂとを互いに交差するように形成し、これら縦溝３２ａと横溝３２ｂに暖房管４を挿着・保持する暖房管保持手段を採択している。また、縦溝３２ａと横溝３２ｂとが交差する略菱形状の交差部には、これら縦溝３２ａと横溝３２ｂに挿着される暖房管４の外周面を挟持するための４個の突起３３が突設されている。
【００１５】
　また、上記上板３０には、相互に隣接する上板３０同士を連結するための連結手段４０が設けられている。
【００１６】
　この実施の形態の連結手段４０としては、上板３０の各辺の側面に、あり溝４１とあり突片４２とを相対向するように各々設け、これらを上下方向に嵌合するあり継ぎ手段を採択している。
【００１７】
　図１及び図４には、上板３０の各辺の側面に、この上板３０の対角線を中心として、一方の両辺には２個ずつのあり溝４１を、他方の両辺には２個ずつのあり突片４２を各々設けた構成例を示している。このような連結手段４０によると、隣接する上板３０同士をどの方向でも相互に連結することができ、且つ上下方向にのみ嵌合／解除が可能であるため、上板３０同士の水平的な連結状態を確実に維持することができる。
【００１８】
　このように構成された暖房管の配管用断熱ボ−ド１０の上板３０上には、図１乃至図３に示すように、薄い断熱シート５０が接着手段によって接着される。
【００１９】
　断熱シート５０は、室内の床暖房時に、暖房管４からの熱の一部が上板３０に伝達されることを防止すると共に、室内から発生する衝撃音や騒音等を吸収する機能を有するものである。従って、この断熱シート５０は、断熱性及び防音性等に優れた発泡性樹脂材からなるのが好ましく、このような発泡性樹脂材としては、高い耐衝撃強度、弾性率及び柔軟性を有し、断熱性、防音性、成形性及び復元力に優れたＥＰＰ（発泡ポリプロピレン）、ポリエチレンフォーム等がある。また、上記断熱シート５０の裏面には、上板３０上に接着させるための接着剤が塗布されている。
【００２０】
　また、上記断熱シート５０の表面には、電磁波シールドシート５１が被着されている。
【００２１】
　電磁波シールドシート５１は、室内の床暖房時に、暖房管４からの熱を効率よくモルタル層２全体に均等に伝達すると共に、室外から発生される有害な電磁波を遮断する機能を有するものである。従って、この電磁波シールドシート５１は、熱伝導性に優れ、且つ有害な電磁波を効率的に遮断することができるアルミニューム薄板からなるのが好ましい。
【００２２】
　次に、上記のように構成された１組の暖房管の配管用断熱ボ−ド１０を利用した床暖房施工について説明する。
【００２３】
　まず、上記暖房管の配管用断熱ボ−ド１０を、図３及び図４に示すように、部屋の床面となるコンクリ−トスラブ層１上に縦横に配設する。
　そして、コンクリ−トスラブ層１上に縦横に配設された複数の暖房管の配管用断熱ボ−ド１０上に、上記縦溝３２ａと横溝３２ｂを利用して暖房管４を配管する。
【００２４】
　上記縦溝３２ａと横溝３２ｂは、上記暖房管４を嵌め込む押圧操作のみによって上記縦溝３２ａと横溝３２ｂに挿着することができるため、暖房管４を所望の配管間隔及び形状に保持させることができると共に、その配管作業が容易である。
【００２５】
　このように、暖房管４の配管作業が終了した後には、上記暖房管の配管用断熱ボ−ド１０上にモルタル層２を設けるためのモルタル施工を行う。
【００２６】
　暖房管の配管用断熱ボ−ド１０上に所定の厚さに設けられるモルタル層２は、室内から発生される衝撃によって暖房管４が破損されることを防止すると共に、暖房管４による床暖房時に、暖房熱がモルタル層２に均等に広がることにより、より円滑な暖房効果が得られるようにするものである。
　そして、上記モルタル層２が設けられた後には、紙壮版紙やビニ−ル壮版紙等の内装材３で仕上げる。
【００２７】
　上記した実施の形態では、上板３０の上面に、暖房管保持手段３１として２個の縦溝３２ａと２個の横溝３２ｂとを互いに交差するように形成し、また、各辺の側面に、連結手段４０として２個のあり溝４１と２個のあり突片４２とを相対向するように各々形成した構成例を示したが、図５に示す変形例のように、上板３０の上面に、暖房管保持手段３１として１個の縦溝３２ａと１個の横溝３２ｂとを互いに交差するように形成し、また、各辺の側面に、連結手段４０として１個のあり溝４１と１個のあり突片４２とを相対向するように各々形成してもよい。
【００２８】
　このように構成された暖房管の配管用断熱ボ−ド１０によれば、上板３０の形状が単純になるので、上板３０上への断熱シート５０の接着が容易になる。
　以上のように、本発明の暖房管の配管用断熱ボ−ドによると、暖房管の配管用断熱ボ−ドの上板上に断熱シートをさらに設けたので、即ち、低板と断熱シートとの二重構造によって断熱及び防音がなされるので、断熱及び防音効果をより増大させることができる。
　また、断熱シートの表面には電磁波シールドシートが被着されているので、室外から発生される有害な電磁波を効果的に吸収・反射して人体に照射されるのを可能な限り小さくすることによって、有害な電磁波から人体を保護することができる。
【図面の簡単な説明】
【００２９】
【図１】本発明の一実施の形態の暖房管の配管用断熱ボ−ドを示す斜視図及び要部拡大図である
【図２】図１のＡ−Ａ’線による断面図及び要部拡大図である。
【図３】上記暖房管の配管用断熱ボ−ドを利用して床暖房施工された状態を示す断面図及び要部拡大図である。
【図４】上記暖房管の配管用断熱ボ−ド同士の連結状態及びこれを利用して暖房管を配管する状態を示す要部平面図である。
【図５】本発明の変形例の暖房管の配管用断熱ボ−ドを示す斜視図である。
【符号の説明】
【００３０】
　１　コンクリートスラブ層
　２　モルタル層
　３　内装材
　４　暖房管
　１０　暖房管の配管用断熱ボード
　２０　低板
　３０　上板
　３１　暖房管保持手段
　３２ａ　縦溝
　３２ｂ　横溝
　３３　突起
　４０　連結手段
　４１　あり溝
　４２　あり突片
　５０　断熱シート
　５１　電磁波シールドシート
　
　
【図１】
2004143927.tif 000003
【図２】
2004143927.tif 000004
【図３】
2004143927.tif 000005
【図４】
2004143927.tif 000006
【図５】
2004143927.tif 000007